(57)【要約】【課題】複数の入力経路のうち、どの入力経路が選択されているかを好適に視認することできるテレビジョン受像機を提供することである。【解決手段】発光表示部１０が、映像出力部７を備えるテレビジョン受像機１００の筐体Ｂの前面部Ｆに備えられ、複数の外部入力端子１１ａ夫々に対応付けられており、操作部９によって、複数の外部入力端子１１ａに接続された入力経路のうち、一の入力経路を選択し、発光表示制御手段（ＣＰＵ１４、発光表示制御プログラム１６ａ）によって、操作部９により選択された入力経路と接続する外部入力端子１１ａに対応付けられた発光表示部１０を点灯する。【選択図】図２
2008199446.tif 000002
【特許請求の範囲】
【請求項１】
複数の外部入力端子を備えるテレビジョン受像機において、
表示手段を備える筐体の前面部に備えられ、前記複数の外部入力端子夫々に対応付けられた発光表示手段と、
前記複数の外部入力端子に接続された入力経路のうち、一の入力経路を選択するための入力経路選択手段と、
前記入力経路選択手段により選択された入力経路と接続する外部入力端子に対応付けられた前記発光表示手段を点灯させる発光表示制御手段と、
外部機器と接続されている外部入力端子を検出する検出手段と、
上下方向及び／又は左右方向を指示する方向キーを有するリモコン装置と、
を備え、
前記入力経路選択手段は、前記複数の外部入力端子夫々に対応付けられた入力経路切換ボタンを前記前面部に備え、
前記入力経路切換ボタンは、前記発光表示手段と重ねて配設され、
前記発光表示手段は、前記入力経路切換ボタンを内部から照らし、
前記入力経路切換ボタンの押下に基づき、前記複数の外部入力端子に接続された入力経路のうち、一の入力経路を選択し、
前記発光表示制御手段は、前記外部入力端子に接続された入力経路のうち、前記入力経路選択手段により選択された入力経路と接続する外部入力端子が、前記検出手段により検出された外部入力端子である場合に、当該外部入力端子に対応付けられた前記発光表示手段を、所定の第１発光色で点灯させるとともに、前記検出手段により検出された外部入力端子でない場合に、当該外部入力端子に対応付けられた前記発光表示手段を、前記第１発光色と異なる所定の第２発光色で点灯させ、
前記入力経路選択手段は、番組視聴時において、前記リモコン装置からの前記方向キーによる、前記外部入力端子に接続された入力経路を切換選択するための選択画面を前記表示手段に表示させることなく当該入力経路を切換選択できるダイレクト操作により、前記複数の外部入力端子に接続された入力経路を切換選択することを特徴とするテレビジョン受像機。
【請求項２】
複数の外部入力端子を備えるテレビジョン受像機において、
表示手段を備える筐体の前面部に備えられ、前記複数の外部入力端子夫々に対応付けられた発光表示手段と、
前記複数の外部入力端子に接続された入力経路のうち、一の入力経路を選択するための入力経路選択手段と、
前記入力経路選択手段により選択された入力経路と接続する外部入力端子に対応付けられた前記発光表示手段を点灯させる発光表示制御手段と、
を備えることを特徴とするテレビジョン受像機。
【請求項３】
前記入力経路選択手段は、前記複数の外部入力端子夫々に対応付けられた入力経路切換ボタンを前記前面部に備え、
前記入力経路切換ボタンの押下に基づき、前記複数の外部入力端子に接続された入力経路のうち、一の入力経路を選択することを特徴とする請求項２に記載のテレビジョン受像機。
【請求項４】
前記入力経路切換ボタンは、前記発光表示手段と重ねて配設され、
前記発光表示手段は、前記入力経路切換ボタンを内部から照らすことを特徴とする請求項３に記載のテレビジョン受像機。
【請求項５】
外部機器と接続されている外部入力端子を検出する検出手段を備え、
前記発光表示制御手段は、前記外部入力端子に接続された入力経路のうち、前記入力経路選択手段により選択された入力経路と接続する外部入力端子が、前記検出手段により検出された外部入力端子である場合に、当該外部入力端子に対応付けられた前記発光表示手段を、所定の第１発光色で点灯させるとともに、前記検出手段により検出された外部入力端子でない場合に、当該外部入力端子に対応付けられた前記発光表示手段を、前記第１発光色と異なる所定の第２発光色で点灯させることを特徴とする請求項２〜４の何れか一項に記載のテレビジョン受像機。
【請求項６】
上下方向及び／又は左右方向を指示する方向キーを有するリモコン装置を備え、
前記入力経路選択手段は、番組視聴時において、前記リモコン装置からの前記方向キーによる、前記外部入力端子に接続された入力経路を切換選択するための選択画面を前記表示手段に表示させることなく当該入力経路を切換選択できるダイレクト操作により、前記複数の外部入力端子に接続された入力経路を切換選択することを特徴とする請求項２〜５の何れか一項に記載のテレビジョン受像機。
【発明の詳細な説明】
【技術分野】
【０００１】
本発明は、テレビジョン受像機に関する。
【背景技術】
【０００２】
近年、テレビジョン放送の分野において、これまで主として用いられてきた地上波のアナログ放送技術に代わって、地上波デジタル放送の他、通信衛星（ＣＳ；Communications Satellite）や放送衛星（ＢＳ；Broadcast Satellite）を介してデジタル信号を伝送するデジタル放送技術、ＣＡＴＶ（ケーブルテレビジョン）システムが急速に普及し、それに伴い、テレビジョン受像機は、様々な情報家電と接続が可能になり、当該テレビジョン受像機の仕様として入力経路の増加傾向にある。
【０００３】
そして、複数の入力端子と複数の出力端子との間の電気的接続の切換又は設定を容易に行うことができる信号伝送路形成装置において、表示器（例えばＬＥＤ）を有し、信号伝送経路を視覚的に判断でき、所望の信号伝送経路を容易且つ正確に形成することができる信号伝送経路形成装置が知られている（特許文献１参照）。
【０００４】
また、テレビジョンの背面にある取付部材に取り付けられた端子群の近傍に触覚で感知し得る凸部と凹部を設け、端子の種類を確実に識別することができるテレビジョンが知られている（特許文献２参照）。
【特許文献１】特開２００３−１６８９６２号公報
【特許文献２】特開平１０−２４７５３４号公報
【発明の開示】
【発明が解決しようとする課題】
【０００５】
しかしながら、上記特許文献１に係る発明は、第１の回路構成体（例えば、テレビジョン受像機等）と第２の回路構成体（例えば、情報記録装置等）との間の信号伝送路を排他的に形成する装置であり、第１の回路構成体（本発明のテレビジョン受像機）関して、複数の入力経路のうち、どの入力経路が選択されているかを認識することはできない。また、上記特許文献２に係る発明は、単に、テレビジョンの背面に配設された複数の端子を、触覚によって認識するものであり、テレビジョンの前面からでは、複数の入力経路のうち、どの入力経路が選択されているか視認することができない。
【０００６】
本発明の課題は、複数の入力経路のうち、どの入力経路が選択されているかを好適に視認することできるテレビジョン受像機を提供することである。
【課題を解決するための手段】
【０００７】
以上の課題を解決するため、請求項１に記載の発明は、
複数の外部入力端子を備えるテレビジョン受像機において、
表示手段を備える筐体の前面部に備えられ、前記複数の外部入力端子夫々に対応付けられた発光表示手段と、
前記複数の外部入力端子に接続された入力経路のうち、一の入力経路を選択するための入力経路選択手段と、
前記入力経路選択手段により選択された入力経路と接続する外部入力端子に対応付けられた前記発光表示手段を点灯させる発光表示制御手段と、
外部機器と接続されている外部入力端子を検出する検出手段と、
上下方向及び／又は左右方向を指示する方向キーを有するリモコン装置と、
を備え、
前記入力経路選択手段は、前記複数の外部入力端子夫々に対応付けられた入力経路切換ボタンを前記前面部に備え、
前記入力経路切換ボタンは、前記発光表示手段と重ねて配設され、
前記発光表示手段は、前記入力経路切換ボタンを内部から照らし、
前記入力経路切換ボタンの押下に基づき、前記複数の外部入力端子に接続された入力経路のうち、一の入力経路を選択し、
前記発光表示制御手段は、前記外部入力端子に接続された入力経路のうち、前記入力経路選択手段により選択された入力経路と接続する外部入力端子が、前記検出手段により検出された外部入力端子である場合に、当該外部入力端子に対応付けられた前記発光表示手段を、所定の第１発光色で点灯させるとともに、前記検出手段により検出された外部入力端子でない場合に、当該外部入力端子に対応付けられた前記発光表示手段を、前記第１発光色と異なる所定の第２発光色で点灯させ、
前記入力経路選択手段は、番組視聴時において、前記リモコン装置からの前記方向キーによる、前記外部入力端子に接続された入力経路を切換選択するための選択画面を前記表示手段に表示させることなく当該入力経路を切換選択できるダイレクト操作により、前記複数の外部入力端子に接続された入力経路を切換選択することを特徴とする。
【０００８】
請求項２に記載の発明は、
複数の外部入力端子を備えるテレビジョン受像機において、
表示手段を備える筐体の前面部に備えられ、前記複数の外部入力端子夫々に対応付けられた発光表示手段と、
前記複数の外部入力端子に接続された入力経路のうち、一の入力経路を選択するための入力経路選択手段と、
前記入力経路選択手段により選択された入力経路と接続する外部入力端子に対応付けられた前記発光表示手段を点灯させる発光表示制御手段と、
を備えることを特徴とする。
【０００９】
請求項３に記載の発明は、請求項２に記載のテレビジョン受像機において、
前記入力経路選択手段は、前記複数の外部入力端子夫々に対応付けられた入力経路切換ボタンを前記前面部に備え、
前記入力経路切換ボタンの押下に基づき、前記複数の外部入力端子に接続された入力経路のうち、一の入力経路を選択することを特徴とする。
【００１０】
請求項４に記載の発明は、請求項３に記載のテレビジョン受像機において、
前記入力経路切換ボタンは、前記発光表示手段と重ねて配設され、
前記発光表示手段は、前記入力経路切換ボタンを内部から照らすことを特徴とする。
【００１１】
請求項５に記載の発明は、請求項２〜４の何れか一項に記載のテレビジョン受像機において、
外部機器と接続されている外部入力端子を検出する検出手段を備え、
前記発光表示制御手段は、前記外部入力端子に接続された入力経路のうち、前記入力経路選択手段により選択された入力経路と接続する外部入力端子が、前記検出手段により検出された外部入力端子である場合に、当該外部入力端子に対応付けられた前記発光表示手段を、所定の第１発光色で点灯させるとともに、前記検出手段により検出された外部入力端子でない場合に、当該外部入力端子に対応付けられた前記発光表示手段を、前記第１発光色と異なる所定の第２発光色で点灯させることを特徴とする。
【００１２】
請求項６に記載の発明は、請求項２〜５の何れか一項に記載のテレビジョン受像機において、
上下方向及び／又は左右方向を指示する方向キーを有するリモコン装置を備え、
前記入力経路選択手段は、番組視聴時において、前記リモコン装置からの前記方向キーによる、前記外部入力端子に接続された入力経路を切換選択するための選択画面を前記表示手段に表示させることなく当該入力経路を切換選択できるダイレクト操作により、前記複数の外部入力端子に接続された入力経路を切換選択することを特徴とする。
【発明の効果】
【００１３】
請求項１に記載の発明によれば、発光表示手段が、表示手段を備える筐体の前面部に備えられ、複数の外部入力端子夫々に対応付けられており、入力経路選択手段によって、複数の外部入力端子に接続された入力経路のうち、一の入力経路を選択することができ、発光表示制御手段によって、入力経路選択手段により選択された入力経路と接続する外部入力端子に対応付けられた発光表示手段を点灯させることができる。
従って、複数の入力経路のうち、どの入力経路が選択されているかを好適に視認することができる。
また、入力経路選択手段は、複数の外部入力端子夫々に対応付けられた入力経路切換ボタンを前面部に備えており、入力経路切換ボタンの押下に基づき、複数の外部入力端子に接続された入力経路のうち、一の入力経路を選択することができる。
従って、入力経路の切換を好適に行うことができ、ユーザにとって使い勝手が良い。
また、入力経路切換ボタンは、発光表示手段と重ねて配設され、発光表示手段によって、入力経路切換ボタンを内部から照らすことができる。
従って、入力経路切換ボタンと発光表示手段とを一体化することができることとなり、テレビジョン受像機の筐体の前面部における入力経路切換ボタンと発光表示手段の省スペース化が図れる。
また、検出手段によって、外部機器と接続されている外部入力端子を検出することができ、外部入力端子に接続された入力経路のうち、入力経路選択手段により選択された入力経路と接続する外部入力端子が、検出手段により検出された外部入力端子である場合に、発光表示制御手段によって、当該外部入力端子に対応付けられた発光表示手段を、所定の第１発光色で点灯するとともに、検出手段により検出された外部入力端子でない場合に、発光表示制御手段によって、当該外部入力端子に対応付けられた発光表示手段を、第１発光色と異なる所定の第２発光色で点灯することができる。
従って、複数の入力経路のうち、どの入力経路が選択されているかを好適に視認することできるとともに、外部機器と接続されていない外部入力端子を好適に視認することができる。
さらに、番組視聴時において、上下方向及び／又は左右方向を指示する方向キーを有するリモコン装置からの方向キーによる、外部入力端子に接続された入力経路を切換選択するための選択画面を表示手段に表示させることなく当該入力経路を切換選択できるダイレクト操作により、複数の外部入力端子に接続された入力経路を切換選択することができる。
従って、ユーザは、入力経路を切り換える際の手間を減らすことができ、使い勝手が良い。
【００１４】
請求項２に記載の発明によれば、発光表示手段が、表示手段を備える筐体の前面部に備えられ、複数の外部入力端子夫々に対応付けられており、入力経路選択手段によって、複数の外部入力端子に接続された入力経路のうち、一の入力経路を選択することができ、発光表示制御手段によって、入力経路選択手段により選択された入力経路と接続する外部入力端子に対応付けられた発光表示手段を点灯させることができる。
従って、複数の入力経路のうち、どの入力経路が選択されているかを好適に視認することができる。
【００１５】
請求項３に記載の発明によれば、請求項２に記載の発明と同様の効果が得られることは無論のこと、入力経路選択手段は、複数の外部入力端子夫々に対応付けられた入力経路切換ボタンを前面部に備えており、入力経路切換ボタンの押下に基づき、複数の外部入力端子に接続された入力経路のうち、一の入力経路を選択することができる。
従って、入力経路の切換を好適に行うことができ、ユーザにとって使い勝手が良い。
【００１６】
請求項４に記載の発明によれば、請求項３に記載の発明と同様の効果が得られることは無論のこと、入力経路切換ボタンは、発光表示手段と重ねて配設され、発光表示手段によって、入力経路切換ボタンを内部から照らすことができる。
従って、入力経路切換ボタンと発光表示手段とを一体化することができることとなり、テレビジョン受像機の筐体の前面部における入力経路切換ボタンと発光表示手段の省スペース化が図れる。
【００１７】
請求項５に記載の発明によれば、請求項２〜４の何れか一項に記載の発明と同様の効果が得られることは無論のこと、検出手段によって、外部機器と接続されている外部入力端子を検出することができ、外部入力端子に接続された入力経路のうち、入力経路選択手段により選択された入力経路と接続する外部入力端子が、検出手段により検出された外部入力端子である場合に、発光表示制御手段によって、当該外部入力端子に対応付けられた発光表示手段を、所定の第１発光色で点灯するとともに、検出手段により検出された外部入力端子でない場合に、発光表示制御手段によって、当該外部入力端子に対応付けられた発光表示手段を、第１発光色と異なる所定の第２発光色で点灯することができる。
従って、複数の入力経路のうち、どの入力経路が選択されているかを好適に視認することできるとともに、外部機器と接続されていない外部入力端子を好適に視認することができる。
【００１８】
請求項６に記載の発明によれば、請求項２〜５の何れか一項に記載の発明と同様の効果が得られることは無論のこと、番組視聴時において、上下方向及び／又は左右方向を指示する方向キーを有するリモコン装置からの方向キーによる、外部入力端子に接続された入力経路を切換選択するための選択画面を表示手段に表示させることなく当該入力経路を切換選択できるダイレクト操作により、複数の外部入力端子に接続された入力経路を切換選択することができる。
従って、ユーザは、入力経路を切り換える際の手間を減らすことができ、使い勝手が良い。
【発明を実施するための最良の形態】
【００１９】
以下、図を参照して、本発明に係るテレビジョン受像機を実施するための最良の形態を詳細に説明する。
【００２０】
（第１の実施形態）
まず、本発明に係る第１の実施形態のテレビジョン受像機１００について図を参照しながら説明する。
テレビジョン受像機１００は、例えば、図１（ａ）に示すように、筐体Ｂの前面部Ｆには、映像出力部７と、複数の外部入力端子１１ａ夫々に対応付けられた入力経路切換ボタン９ａと、入力経路切換ボタン９ａに対応して併設された発光表示部１０と、を備えている。また、図１（ｂ）に示すように、筐体Ｂの背面部Ｒには、外部入力端子部１１を備えている。
また、テレビジョン受像機１００は、例えば、図２に示すように、アンテナ１、チューナ２、復調部３、分離部４、デコーダ５、ＯＳＤ処理部６、映像出力部７、音声出力部８、操作部９、発光表示部１０、外部入力端子１１ａと検出部１１ｂを有する外部入力端子部１１、リモコン装置１２、制御部１３等を備えて構成されている。
【００２１】
アンテナ１は、例えば、パラボラアンテナやＵＨＦアンテナ等であり、テレビジョン信号を受信し、ＲＦ（Radio  Frequency）信号をチューナ２に出力する。なお、デジタルテレビジョン信号に含まれる物理チャンネルの放送データは、ＭＰＥＧ２−ＴＳ方式により多重化されている。
【００２２】
チューナ２は、例えば、ミキサ（図示省略），選局回路（図示省略）等を備えて構成される。そして、チューナ２において、ミキサ，選局回路等により、アンテナ１から入力されたＲＦ信号からユーザが所望する物理チャンネルのＩＦ（Intermediate  Frequency）信号が生成される。
【００２３】
復調部３は、逆インタリーブ回路（図示省略），誤り訂正回路（図示省略），復調回路（図示省略）等を備えて構成される。そして、復調部３において、逆インタリーブ回路，誤り訂正回路，復調回路等により、生成されたＩＦ信号に誤り訂正処理や復調処理等が施され、放送データとしてのＴＳ（Transport  Stream）信号に変換される。復調部３により生成されたＴＳ信号は、分離部４に出力される。
【００２４】
分離部４は、例えば、復調部３，デコーダ５等と接続され、復調部３から入力されるＴＳ信号を映像データ，音声データ，ＰＳＩ／ＳＩ（Program Specific Information/Service Information）等に分離し、デコーダ５に出力する。
【００２５】
デコーダ５は、分離部４から入力される映像データや音声データに復号処理を行い、映像出力部７、音声出力部８に出力する。
【００２６】
ＯＳＤ処理部６は、制御部１３から入力される制御信号に従って、ＯＳＤ（On Screen Display ）信号をデコーダ５から映像出力部７へ出力される映像データに合成する。
【００２７】
映像出力部７は、例えば、ＬＣＤ（Liquid  Crystal  Display）やＰＤＰ（Plasma  Display  Panel）等を備えて構成され、図１（ａ）に示すように、筐体Ｂの前面部Ｆに配設され、デコーダ５から出力される映像データに基づく映像を表示する。これにより、映像出力部７は、表示手段として機能する。
【００２８】
音声出力部８は、例えば、スピーカ等を備えて構成され、デコーダ５から出力される音声データに基づく音声を出力する。
【００２９】
操作部９は、例えば、複数の外部入力端子１１ａ夫々に対応付けられた入力経路切換ボタン９ａを備えている。また、図１（ａ）に示すように、入力経路切換ボタン９ａは、例えば、映像出力部７を備えるテレビジョン受像機１００の筐体Ｂの前面部Ｆの左側に配設されており、ユーザによって、当該入力経路切換ボタン９ａが押下操作されると、当該押下操作に伴う各種信号を制御部１３に出力する。
これにより、操作部９は、入力経路選択手段として機能する。
【００３０】
発光表示部１０は、例えば、ＬＥＤ（Light Emitting Diode）等を備えて構成されており、制御部１３から入力される制御信号に従って、所定の発光色で点灯させる。具体的には、例えば、外部入力端子１１ａに接続された入力経路のうち、操作部９の操作により選択された入力経路と接続する外部入力端子１１ａが、検出部１１ｂにより検出された外部入力端子１１ａである場合には、第１発光色としての青色光で点灯させ、操作部９の操作により選択された入力経路と接続する外部入力端子１１ａが、検出部１１ｂにより検出された外部入力端子１１ａでない場合には、第２発光色としての赤色光で点灯させる。
また、発光表示部１０は、例えば、図１（ａ）に示すように、映像出力部７を備えるテレビジョン受像機１００の筐体Ｂの前面部Ｆに配設された入力経路切換ボタン９ａに対応して併設されている。
これにより、発光表示部１０は、発光表示手段として機能する。
【００３１】
外部入力端子部１１は、例えば、図１（ｂ）に示すように、テレビジョン受像機１００の筐体Ｂの背面部Ｒに、“ビデオ１”、“ビデオ２”、“ビデオ３”、“ビデオ４”、“ビデオ５”に対応した５つの外部入力端子１１ａを備え、また、外部機器と接続されている外部入力端子１１ａを検出する検出部１１ｂを備えている。具体的には、検出部１１ｂは、例えば、外部入力端子１１ａに挿入された入力端子のピンを検知することにより、外部機器との接続を検出し、当該検出に伴う各種信号を制御部１３に出力する。
これにより、検出部１１ｂは、検出手段として機能する。
【００３２】
リモコン装置１２は、図２に示すように、テレビジョン受像機１００用のリモートコントローラ１２ａ及び当該リモートコントローラ１２ａと通信可能なリモコン信号受光部１２ｂ等を備えており、具体的には、例えば、図３に示すように、番組視聴時においてユーザ所望の時点で、ダイレクト操作により、入力切換を行うための上下キー１２ａ１及び左右キー１２ａ２を備えている。ここで、ダイレクト操作とは、例えば、番組視聴時において、外部入力端子１１ａに接続された入力経路を切換選択するための選択画面をＯＳＤ表示させることなく、当該入力経路を切換選択できる操作をいう。
【００３３】
制御部１３は、例えば、図２に示すように、ＣＰＵ（Central  Processing  Unit）１
４、ＲＡＭ（Random  Access  Memory）１５、記憶部１６等を備えて構成される。
【００３４】
ＣＰＵ１４は、例えば、記憶部１６に格納された処理プログラム等を読み出して、ＲＡＭ１５に展開して実行することにより、テレビジョン受像機１００全体の制御を行う。
【００３５】
ＲＡＭ１５は、ＣＰＵ１４により実行された処理プログラム等を、ＲＡＭ１５内のプログラム格納領域に展開するとともに、入力データや上記処理プログラムが実行される際に生じる処理結果等をデータ格納領域に格納する。
【００３６】
記憶部１６は、例えば、プログラムやデータ等が予め記憶されている記録媒体を有しており、この記録媒体は、例えば、半導体メモリ等で構成されている。また、記憶部１６は、ＣＰＵ１４がテレビジョン受像機１００全体を制御する機能を実現させるための各種データ，各種処理プログラム，これらプログラムの実行により処理されたデータ等を記憶する。より具体的には、記憶部１６は、例えば、図２に示すように、発光表示制御プログラム１６ａ等を格納している。
【００３７】
発光表示制御プログラム１６ａは、ＣＰＵ１４に、操作部９やリモコン装置１２の操作により選択された入力経路と接続する外部入力端子１１ａに対応付けられた発光表示部１０を点灯させる機能を実現させるプログラムである。
具体的には、例えば、外部入力端子１１ａに接続された入力経路のうち、操作部９やリモコン装置１２の操作より選択された入力経路と接続する外部入力端子１１ａが、検出部１１ｂにより検出された外部入力端子１１ａである場合に、ＣＰＵ１４は、発光表示制御プログラム１６ａを実行することにより、当該外部入力端子１１ａに対応付けられた発光表示部１０を、青色光で点灯させるとともに、検出部１１ｂにより検出された外部入力端子１１ａでない場合に、ＣＰＵ１４は、発光表示制御プログラム１６ａを実行することにより、当該外部入力端子１１ａに対応付けられた発光表示部１０を、赤色光で点灯させる。
ＣＰＵ１４は、かかる発光表示制御プログラム１６ａを実行することにより、発光表示制御手段として機能する。
【００３８】
次に、上述のような構成のテレビジョン受像機１００の外部入力端子夫々に対応付けられた発光表示部１０の発光表示動作について図４に示すフローチャートを参照しながら説明する。
【００３９】
まず、ＣＰＵ１４は、操作部９、又はリモコン装置１２の操作により、入力経路の選択がなされたか否かを判断する（ステップＳ１）。
【００４０】
ステップＳ１において、ＣＰＵ１４が、入力経路の選択がなされたと判断した場合（ステップＳ１；Ｙｅｓ）、ステップＳ２に進む。一方、入力経路の選択がなされていない場合（ステップＳ１；Ｎｏ）、ステップＳ１において、入力経路の選択待機状態となる。
【００４１】
次いで、ステップＳ２において、ＣＰＵ１４は、ステップＳ１で選択された入力経路と接続する外部入力端子１１ａが、検出部１１ｂで検出された外部入力端子１１ａであるか否かを判断する（ステップＳ２）。
【００４２】
ステップＳ２において、ＣＰＵ１４が、検出部１１ｂで検出された外部入力端子１１ａであると判断した場合（ステップＳ２；Ｙｅｓ）、ステップＳ３へ進み、ＣＰＵ１４は、発光表示制御プログラム１６ａを実行することにより、当該外部入力端子１１ａに対応付けられた発光表示部１０を、青色光で点灯させ（ステップＳ３）、本処理を終了する。
【００４３】
一方、ステップＳ２において、ＣＰＵ１４が、検出部１１ｂで検出された外部入力端子１１ａでないと判断した場合（ステップＳ２；Ｎｏ）、ステップＳ４へ進み、ＣＰＵ１４は、発光表示制御プログラム１６ａを実行することにより、当該外部入力端子１１ａに対応付けられた発光表示部１０を、赤色光で点灯させ（ステップＳ４）、本処理を終了する。
【００４４】
以上に説明した本発明に係る第１の実施形態のテレビジョン受像機１００によれば、発光表示部１０が、映像出力部７を備える筐体Ｂの前面部Ｆに備えられ、複数の外部入力端子１１ａ夫々に対応付けられており、操作部９、及びリモコン装置１２によって、複数の外部入力端子１１ａに接続された入力経路のうち、一の入力経路を選択することができ、ＣＰＵ１４が、発光表示制御プログラム１６ａを実行することによって、操作部９、及びリモコン装置１２により選択された入力経路と接続する外部入力端子１１ａに対応付けられた発光表示部１０を点灯させることができる。
従って、複数の入力経路のうち、どの入力経路が選択されているかを好適に視認することできる。
また、操作部９は、複数の外部入力端子１１ａ夫々に対応付けられた入力経路切換ボタン９ａを前面部Ｆに備えており、入力経路切換ボタン９ａの押下に基づき、複数の外部入力端子１１ａに接続された入力経路のうち、一の入力経路を選択することができる。
従って、入力経路の切換を好適に行うことができ、ユーザにとって使い勝手が良い。
また、検出部１１ｂによって、外部機器と接続されている外部入力端子１１ａを検出することができ、外部入力端子１１ａに接続された入力経路のうち、操作部９、及びリモコン装置１２により選択された入力経路と接続する外部入力端子１１ａが、検出部１１ｂにより検出された外部入力端子１１ａである場合に、ＣＰＵ１４は、発光表示制御プログラム１６ａを実行することによって、当該外部入力端子１１ａに対応付けられた発光表示部１０を、青色光で点灯するとともに、検出部１１ｂにより検出された外部入力端子１１ａでない場合に、ＣＰＵ１４は、発光表示制御プログラム１６ａを実行することによって、当該外部入力端子１１ａに対応付けられた発光表示部１０を、赤色光で点灯することができる。
従って、複数の入力経路のうち、どの入力経路が選択されているかを好適に視認することできるとともに、外部機器と接続されていない外部入力端子を好適に視認することができる。
さらに、番組視聴時において、上下方向及び／又は左右方向を指示する方向キー１２ａ１、１２ａ２を有するリモコン装置１２からの方向キーによる、外部入力端子１１ａに接続された入力経路を切換選択するための選択画面を映像出力部７に表示させることなく当該入力経路を切換選択できるダイレクト操作により、複数の外部入力端子１１ａに接続された入力経路を切換選択することができる。
従って、ユーザは、入力経路を切り換える際の手間を減らすことができ、使い勝手が良い。
【００４５】
（第２の実施形態）
次に、本発明に係る第２の実施形態のテレビジョン受像機１００について、図を参照しながら説明する。なお、第１の実施形態と同一部分には同一符号を付し、異なる部分についてのみ説明する。
【００４６】
操作部９は、例えば、複数の外部入力端子１１ａ夫々に対応付けられた入力経路切換ボタン９ａを備えており、当該入力経路切換ボタン９ａは、例えば、透明又は半透明の合成樹脂等で形成されている。また、図５（ａ）に示すように、入力経路切換ボタン９ａは、例えば、映像出力部７を備えるテレビジョン受像機１００の筐体Ｂの前面部Ｆの左側に配設されるとともに、発光表示部１０と重ねて配設されている。そして、ユーザによって、当該入力経路切換ボタン９ａが押下操作されると、当該重ねて配設された発光表示部１０が点灯し、当該入力経路切換ボタン９ａを内部から照らす。
これにより、操作部９は、入力経路選択手段、及び発光表示手段として機能する。
【００４７】
以上に説明した本発明に係る第２の実施形態のテレビジョン受像機１００によれば、第１の実施形態と同様の効果が得られることは無論のこと、入力経路切換ボタン９ａは、発光表示部１０と重ねて配設され、発光表示部１０によって、入力経路切換ボタン９ａを内部から照らすことができる。
従って、入力経路切換ボタンと発光表示手段とを一体化することができることとなり、テレビジョン受像機の筐体の前面部における入力経路切換ボタンと発光表示手段の省スペース化が図れる。
【００４８】
なお、本発明は、上記実施の形態に限定されることなく、本発明の趣旨を逸脱しない範囲において、種々の改良並びに設計の変更を行っても良い。
例えば、本発明の上記実施の形態では、操作部９、及び発光表示部１０を、テレビジョン受像機１００の筐体Ｂの前面部Ｆの左側に配置する設計としたが、これに限らず、筐体Ｂの前面部Ｆであれば、任意の箇所であっても良い。
また、発光表示制御手段は、例えば、検出部１１ｂが外部入力端子１１ａと外部機器との接続を検出した段階で、当該外部入力端子１１ａに対応付けられた発光表示部１０を青色光で点灯させ、操作部９、又はリモコン装置１２の操作により選択された入力経路と接続する外部入力端子１１ａに対応付けられた発光表示部１０を黄色光で点灯させる一方、検出部１１ｂが外部入力端子１１ａと外部機器との接続を検出していない場合、当該外部入力端子１１ａに対応付けられた発光表示部１０を消灯させる設計であっても良い。
また、番組視聴時において、リモコン装置１２の操作により、複数の外部入力端子１１ａに接続された入力経路を切換選択し、外部入力端子１１ａに接続された入力経路のうち、リモコン装置１２の操作により選択された入力経路と接続する外部入力端子１１ａが、検出部１１ｂにより検出された外部入力端子１１ａである場合に、例えば、「ビデオ１入力に切換ました。」等の所定の第１メッセージ情報を映像出力部７に表示させるとともに、検出部１１ｂにより検出された外部入力端子１１ａでない場合には、「選択された入力経路は未接続です。」等の所定の第２メッセージ情報を映像出力部７に表示させる設計であっても良い。
【図面の簡単な説明】
【００４９】
【図１】本発明に係る第１の実施形態のテレビジョン受像機の外観図である。
【図２】本発明に係る第１の実施形態のテレビジョン受像機における要部構成を示すブロック図である。
【図３】本発明に係るテレビジョン受像機のリモコン装置を示す図である。
【図４】本発明に係るテレビジョン受像機の外部入力端子夫々に対応付けられた発光表示部の発光表示動作を示すフローチャートである。
【図５】本発明に係る第２の実施形態のテレビジョン受像機の外観図である。
【図６】本発明に係る第２の実施形態のテレビジョン受像機における要部構成を示すブロック図である。
【符号の説明】
【００５０】
１００      テレビジョン受像機
９          操作部
９ａ        入力経路選択ボタン（入力経路選択手段）
１０        発光表示部（発光表示手段）
１１ａ      外部入力端子
１１ｂ      検出部（検出手段）
１２        リモコン装置（入力経路選択手段）
１４        ＣＰＵ（発光表示制御手段）
１６ａ      発光表示制御プログラム（発光表示制御手段）
Ｂ          筐体
【図１】
2008199446.tif 000003
【図２】
2008199446.tif 000004
【図３】
2008199446.tif 000005
【図４】
2008199446.tif 000006
【図５】
2008199446.tif 000007
【図６】
2008199446.tif 000008